(57)【特許請求の範囲】
【請求項１】
開口部の側方の壁面を引戸収納部とするとともに開口部と引戸収納部との間に引戸を移動自在にかぶせ組付けし、引戸の下端と床面とに下部案内機構を設けてなる引戸装置において、
開口部と引戸収納部との間の上部の壁面と、引戸の上端背面との間には、レール部材とガイド部材とからなる上部案内機構を設け、引戸の上端背面には巾方向にわたって切欠部を設けるとともに切欠部には引戸の上端前面から露出しないようにレール部材を突設し、前記開口部と引戸収納部との間の上部の壁面には、引戸の開閉に伴って引戸の上端前面から露出しない位置にガイド部材が設けられており、
前記レール部材は、引戸の上端前面から離間して、引戸の上端背面で上方へ突出されたガイド片からなり、
前記ガイド部材は、壁面に取り付けられるブラケットと、前記ブラケットに取り付けられ引戸の前後方向の位置を調整する前後調整機構と、前記ガイド片の下方からの係合を許容するガイド溝が設けられ、前記前後調整機構により前記ブラケットに対して前後移動するホルダ部材とからなることを特徴とする引戸装置。
【請求項２】
請求項１記載の引戸装置において、前後調整機構は、回転自在な歯車と前記歯車の回転に伴って引戸の前後方向に移動するラックとからなることを特徴とする引戸装置。
【請求項３】
請求項１または２記載の引戸装置において、下部案内機構に引戸の前後方向の位置を調整する前後調整機構を設けることを特徴とする引戸装置。
【請求項４】
請求項１〜３のいずれかに記載の引戸装置において、下部案内機構の両端部にはストッパー部材を設けることを特徴とする引戸装置。
【請求項５】
請求項１〜４のいずれかに記載の引戸装置において、前記ホルダ部材は、レール部材と滑動可能な樹脂材で形成されていることを特徴とする引戸装置。
【発明の詳細な説明】
【０００１】
【発明の属する技術分野】
本発明は、建物の開口部に外付けで施工する引戸装置及びガイド部材に関する技術分野に属する。
【０００２】
【従来の技術】
この種の従来の引戸装置としては、例えば特許第３００７６１９号公報に開示される引戸装置がある。この引戸装置は、開口部の側方の壁面を引戸収納部とするとともに開口部と引戸収納部との間に引戸を移動自在にかぶせ組付けし、引戸の下端と床面とに回転自在な戸車及びレールを設けている。そして、開口部と引戸収納部との間の上方の壁面にローラを配置し、引戸の上部の背面にレール部材を装着するとともに、レール部材のレール溝内にローラを回転自在に装着し、引戸の上部の走行をガイドする部分が外側から見えないようにして外観を向上させたものである。
【０００３】
【発明が解決しようとする課題】
しかし、特許第３００７６１９号公報に開示される引戸装置は、引戸を取付ける際に、開口部と引戸収納部との間の上方の壁面に配置されたローラに対し、引戸を側方に位置させ、側方から引戸のレール溝内にローラを装着するように差し込む必要があり、引戸の取付が容易ではなく、引戸の取付に手間がかかるという問題があった。
【０００４】
さらに、このローラは取付ベース、係止部を有する基板、回動アームなどを介して取付けられる複雑な構造であり、高価な引戸装置になるという問題があった。
【０００５】
また、上述の従来の引戸装置は、外側から見えない構造とするため、安定した引戸の走行を提供するにはローラ及びレール部材が複雑な構成を成さなければならないので、前記引戸装置の引戸への導入はより複雑になる。したがって、安定した引戸の走行を提供するとともに、構造が簡略化された引戸装置を提供するにあたっては、外側から見えない構造とすることは困難である問題点が指摘できる。
【０００６】
本発明は、このような問題点を考慮してなされたもので、引戸の走行をガイドする上部のガイド部材を外側から見えないようにしたシンプルな構造のものとするとともに、引戸をかぶせ組付けできるようにした引戸装置及びガイド部材によりを提供することを課題とする。
【０００７】
【課題を解決するための手段】
前述の課題を解決するため、本発明に係る引戸装置は、次のような手段を採用する。
【０００８】
即ち、請求項１に記載のように、開口部の側方の壁面を引戸収納部とするとともに開口部と引戸収納部との間に引戸を移動自在にかぶせ組付けし、引戸の下端と床面とに下部案内機構を設けてなる引戸装置において、開口部と引戸収納部との間の上部の壁面と、引戸の上端背面との間には、レール部材とガイド部材とからなる上部案内機構を設け、引戸の上端背面には巾方向にわたって切欠部を設けるとともに切欠部には引戸の上端前面から露出しないようにレール部材を突設し、前記開口部と引戸収納部との間の上部の壁面には、引戸の開閉に伴って引戸の上端前面から露出しない位置にガイド部材が設けられており、前記レール部材は、引戸の上端前面から離間して、引戸の上端背面で上方へ突出されたガイド片からなり、前記ガイド部材は、壁面に取り付けられるブラケットと、前記ブラケットに取り付けられ引戸の前後方向の位置を調整する前後調整機構と、前記ガイド片の下方からの係合を許容するガイド溝が設けられ、前記前後調整機構により前記ブラケットに対して前後移動するホルダ部材とからなることを特徴とする。
【０００９】
この手段では、引戸の上端前面から露出しないように突設されたレール部材が、引戸の開閉に伴って引戸の上部前面から露出しない位置に設けられたガイド部材にガイドされて走行するように、上部案内機構が構成される。
【００１０】
また、引戸の上端前面から離間して上方へ突出するガイド片がガイド部材の下方からガイド溝を案内して係合され、ガイド部材にガイド片が組付けられる。
【００１１】
さらに、ガイド部材は、ホルダ部材がスライド機構により引戸の上端と上部の壁面との位置に関係なく前後位置が調整され、レール部材との前後位置が調整される。したがって、ガイド部材とレール部材との位置は、引戸の上端又は上部の壁面に取付けられるガイド部材の取付位置に関係なく調整される。
【００１２】
また、請求項２に記載のように、請求項１記載の引戸装置において、前後調整機構は、回転自在な歯車と前記歯車の回転に伴って引戸の前後方向に移動するラックとからなることを特徴とする。
【００１３】
この手段では、歯車を回転させることで、歯車はラックと噛み合ってラックの歯に沿って転がり、ホルダ部材は壁面に対しスライドして前後調整がなされる。
【００１４】
また、請求項３に記載のように、請求項１または２記載の引戸装置において、下部案内機構に引戸の前後方向の位置を調整する前後調整機構を設けることを特徴とする。
【００１５】
この手段では、引戸上部の壁面と引戸との取付位置は、下部案内機構の調整装置により調整した取付位置に応じて、下部案内機構と独立した上部案内機構の前後調整機構によって調整される。したがって、下部案内機構及び上部案内機構における前後調整の調整幅が小さくなり、調整作業が容易となる。
【００１６】
また、請求項４に記載のように、請求項１〜３記載の引戸装置において、下部案内機構の両端部にはストッパー部材を設けることを特徴とする。
【００１７】
この手段では、開口部にかぶせ組付けされる引戸に設けられたレール部材とガイド部材とからなる上部案内機構は、引戸を全開及び全閉状態まで走行させても下部案内機構の両端部に設けられたストッパー部材が引戸の移動量を制限して、ガイド部材がレール部材から離脱されない。
【００１８】
また、請求項５に記載のように、請求項４記載の引戸装置のガイド部材において、前記ホルダ部材は、レール部材と滑動可能な樹脂材で形成されていることを特徴とする。
【００１９】
この手段では、ホルダ部材がレール部材と滑動可能な樹脂材で形成されているので、引戸の滑らかな走行が可能とされる。
【００２０】
【発明の実施の形態】
以下、本発明に係る引戸装置及びガイド部材について、その実施の形態を図面に基づいて説明する。
【００２１】
図１〜図６は本発明に係る引戸装置及びガイド部材の実施の形態を示すものである。
【００２２】
この実施の形態における引戸装置１００は、開口部１の側方の壁面４を引戸収納部２とするとともに開口部１と引戸収納部２との間に引戸３を移動自在にかぶせ組付けするタイプの引戸装置であり、引戸３の下端と床面Ｆとに回転自在な下部案内機構７が設けられている。なお、開口部１の上方には壁Ｗとの間に上枠Ｕが設けられている。
【００２３】
また、引戸装置１００は、引戸３の上部をガイドする上部案内機構１１を備えている。この上部案内機構１１は、開口部１と引戸収納部２との間の上部の壁面４１と、引戸３の上端背面３１との間に設けられており、レール部材６とガイド部材５とからなる。また、上部案内機構１１には引戸３の前後方向の位置を調整する前後調整機構１２が設けられている。
【００２４】
レール部材６は、引戸３の上端背面３１に巾方向にわたって設けられた切欠部３２に、引戸３の上端前面３３から露出しないように突設されている断面Ｌ字型の部材である。そして、レール部材６は、引戸３の上端背面３１で上端前面３３から離間して上方へ突出されるガイド片６１を備えている。なお、レール部材６は、切欠部３２の底面３２１の上に、引戸３の上端背面３１に巾方向にわたって木ねじ３２２により取付けられている。
【００２５】
ガイド部材５は、開口部１と引戸収納部２との間の上方のやや掘り込まれた壁面４１に、引戸３の開閉に伴って引戸３の上端前面３３から露出しない位置に設けられている。そして、ガイド部材５には、レール部材６のガイド片６１の下方からの係合を許容するガイド溝５１が設けられている。なお、ガイド溝５１の入口部には引戸３側に面取り５３ａと、引戸３の走向方向の端面に面取り５３ｂとが設けられている。
【００２６】
また、ガイド部材５には、前後調整機構１２が設けられ、ガイド部材５の前後調整に伴って引戸の上端が前後調整されるように構成されている。なお、図示はしないが、ガイド部材５とともに上部案内機構１１を構成するレール部材６に前後調整機構１２が設けられても構わない。
【００２７】
ガイド部材５には、回転操作に伴って前後方向に移動するスライド機構５２と、スライド機構５２により前後移動してレール部材６との前後位置を調整するホルダ部材５３とが備えられている。
【００２８】
スライド機構５２は、開口部１と引戸収納部２との間の上部の壁面４１に取付けられるブラケット５２１と、ブラケット５２１の上部に設けられるアッパープレート５２２と、ホルダ部材５３の内部に設けられスライドを可能にする歯車５２３とラック５２４で構成される。
【００２９】
ブラケット５２１は、取付片５２１ａに設けられた３個の木ねじ用孔５２１ｂで壁面４１に取付けられている。ブラケット５２１は、取付片５２１ａから直角に折れ曲がり、幅Ａで引戸３側に延びるスライド受片５２１ｃを備えている。また、スライド受片５２１ｃには、ホルダ部５３とスライド支持するスライド面５２１ｄと、アッパープレート５２２をこのブラケット５２１に固定するロックねじ孔５２１ｅと、歯車５２３の回転操作部５２３ａが貫通する貫通孔５２１ｆとが設けられている。
【００３０】
アッパープレート５２２は、ブラケット５２１の上部に設けられる板状の部材であり、歯車５２３の回転操作部５２３ａが貫通する長孔５２２ａと、ロックねじ５２２ｅが挿入される長孔５２２ｂと、アッパープレート５２２をホルダ部材５３に固定するねじ５２２ｄが貫通する２つの貫通孔５２２ｃとを備えている。
【００３１】
ホルダ部材５３は、上面に段差部５３５が設けられ、ここにブラケット５２１のスライド受片５２１ｃがスライド可能に嵌合されている。ホルダ部材５３には、スライド受片５２１ｃのスライド面５２１ｄとスライドする幅Ａ’のスライド面５３１と、歯車５２３を収納する歯車溝５３２と、ラック５２４を収納するラック溝５３３と、ねじ５２２ｄが螺合されるねじ孔５３４と、ロックねじ５２２ｅの先端部の逃げ孔５３６とが設けられている。この幅Ａ’は、ブラケット５２１のスライド受片５２１ｃの幅Ａよりわずかに小さくし、ホルダ部材５３がブラケット５２１に対しスライド可能な幅としている。なお、ガイド溝５１は詳細にはホルダ部５３の下方に形成されるブロック体５３７に設けられている。また、ホルダ部材５３は、レール部材と滑動可能な樹脂材で形成されている。
【００３２】
下部案内機構７は、引戸３の下端部に設けられる戸車７１と、戸車７１が走行し床面Ｆに木ねじ７３で固定されたレール７２からなり、下部案内機構７の両端部にはストッパー部材７４が設けられている。また、下部案内機構７には、引戸の前後方向の位置を調整する前後調整機構７５、及び、上下方向の位置を調整する上下調整機構７６が設けられている。
【００３３】
以上の構成による引戸装置１００を取付ける方法について、以下に説明する。
【００３４】
引戸３は、図５に示すように、開口部１の前方から傾斜させてレール部材６のガイド片６１をガイド溝５１に挿入する。その際、ガイド部材５には面取り５３ａが施されているので、レール部材６のガイド片６１は面取り５３ａに沿って挿入可能となる。そして、引戸３の傾斜を少しずつ小さくしながら徐々にガイド片６１をガイド溝５１に挿入していく。そして、戸車７１をレール７２に挿入するために引戸３を持ち上げ、戸車７１をレール７２内に落とし込むことで、引戸３を取付けることができる。
【００３５】
引戸３を取付けた後に、引戸３が傾いている場合は、まず、下部案内機構７の前後調整機構７５を調整することで、引き戸の下部を前後調整する。その後、上部案内機構１１のガイド部材５に設けられた前後調整機構１２を調整することで、図６に示すように、二点鎖線で示す傾いた状態から実線で示す真っ直ぐな状態へと引戸３の上部を前後調整する。その際、ロックねじ５２２ｅをスライド機構５２がスライド可能な程度に緩めておき、歯車５２３の回転操作部５２３ａをアッパープレート５２２の長孔５２２ａからドライバーなどにより回転操作する。
【００３６】
歯車５２３の回転操作部５２３ａを回転させることで、歯車５２３はラック５２４と噛み合ってラック５２４の歯に沿って転がり、アッパープレート５２２と固定されたホルダ部材５３は、壁面４１に取付けられたブラケット５２１に対し、スライド面５２１ｄ、５３１でスライドして前後調整がなされる。図４は、アッパープレート５２２、ブラケット５２１を省略して描いた図で、ドライバーＤで歯車５２３の回転操作部５２３ａを回転させることで、実線で示す状態から二点鎖線で示す状態までスライド可能であることを示している。そして、上部案内機構１１の前後調整機構１２で前後調整した後に、ロックねじ５２２ｅを締め付けることでホルダ部材５３はアッパープレート５２２を介してブラケット５２１に確実に固定される。
【００３７】
この実施の形態の引戸装置１００によれば、開口部１に引戸３をかぶせ組付けし、引戸３の上端背面３１の切欠部３２に引戸３の上端前面３３から露出しないようにレール部材６が突設され、また、引戸３の開閉に伴って引戸３の上端前面３３から露出しない位置にガイド部材５が設けられて上部案内機構１１を構成しているので、かぶせ組み付けした引戸３の走行をガイドする上部案内機構１１を外側から見えないようにすることができる。
【００３８】
また、レール部材６のガイド片６１が引戸３の上端前面３３から離間して上方へ突出して設けられ、ガイド部材５に対し下方から係合するようにガイド溝５１が設けられているので、引戸３の上部を傾けてガイド部材５のガイド溝５１に係合させることで引戸３が取付可能となり、引戸３の取付が容易に行える。
【００３９】
また、上部案内機構１１と下部案内機構７とには引戸３の前後調整機構１２、７５がそれぞれ設けられているので、引戸３の上部と下部の両方が調整可能となり、調整振れ幅が小さく、引戸３が精度良く調整可能となる。さらには上部案内機構１１のガイド部材５に前後調整機構１２が設けられているので、レール部材６はシンプルな構造にできる。
【００４０】
また、下部案内機構７の両端部にはストッパー部材７４が設けられているので、引戸を全開及び全閉状態まで走行させてもストッパー部材７４で引戸３の走行が確実に停止できる。
【００４１】
また、この実施の形態のガイド部材５によれば、ガイド部材５には、前後方向に移動するスライド機構５２によりレール部材６との前後位置を調整するホルダ部材５３が備えられ、ホルダ部材５３がスライドすることで引戸３を前後調整することができる。さらには、スライド機構５２がホルダ部材５３の内部に設けられた歯車５２３とラック５２４で構成されるので、シンプルで安価な構造のものとすることができる。
【００４２】
【発明の効果】
以上のように、本発明の請求項１に係る引戸装置は、開口部に引戸をかぶせ組付けし、引戸の上端背面の切欠部に引戸の上端前面から露出しないようにレール部材が突設され、また、引戸の開閉に伴って引戸の上端前面から露出しない位置にガイド部材が設けられて上部案内機構を構成しているので、構造が簡略化され、取付作業が容易になり、かぶせ組み付けした引戸の走行をガイドする上部案内機構を外側から見えないようにすることができるという効果がある。
【００４３】
また、引戸の上端又は上部の壁面に取付けられるガイド部材の取付位置に関係なく、ガイド部材とレール部材との前後位置が調整される。
【００４４】
また、本発明の請求項３に係る引戸装置は、上部案内機構と下部案内機構とには引戸の前後調整機構がそれぞれ設けられているので、引戸の上部と下部の両方が調整可能となり、引戸が精度良く調整可能となる。さらには上部案内機構のガイド部材に前後調整機構が設けられているので、レール部材はシンプルな構造にでき、調整作業が容易となる。
【００４５】
また、本発明の請求項４に係る引戸装置は、下部案内機構の両端部にはストッパー部材が設けられているので、引戸を全開及び全閉状態まで走行させてもストッパー部材で引戸の走行が確実に停止できる。
【００４６】
また、本発明の請求項２に係る引戸装置のガイド部材は、ガイド部材には、前後方向に移動するスライド機構によりレール部材との前後位置を調整するホルダ部材が備えられ、ホルダ部材がスライドすることで引戸を前後調整することができる。
【図面の簡単な説明】
【図１】 本発明に係る引戸装置の実施の形態を示す斜視図である。
【図２】 本発明に係る引戸装置の実施の形態における横断面図である。
【図３】 本発明に係る引戸装置の実施の形態の主要構成部品を示す分解斜視図である。
【図４】 本発明に係る引戸装置の実施の形態の主要構成部品の作用を示す斜視図である。
【図５】 本発明に係る引戸装置の実施の形態の取付方法を示す横断面図である。
【図６】 本発明に係る引戸装置の実施の形態の調整方法を示す横断面図である。
【符号の説明】
１ 開口部
２ 引戸収納部
３ 引戸
４ 壁面
５ ガイド部材
６ レール部材
７ 下部案内機構
１１ 上部案内機構
１２ 前後調整機構
３１ 上端背面
３２ 切欠部
３３ 上端前面
４１ 壁面
５１ ガイド溝
５２ スライド機構
５３ ホルダ部材
６１ ガイド片
７１ 戸車
７２ レール
７４ ストッパー部材
７５ 前後調整機構
１００ 引戸装置
５２１ ブラケット
５２３ 歯車
５２４ ラック
【図１】
0003717431.tif 000002
【図２】
0003717431.tif 000003
【図３】
0003717431.tif 000004
【図４】
0003717431.tif 000005
【図５】
0003717431.tif 000006
【図６】
0003717431.tif 000007